(57)【要約】【課題】防水構造を有する充電器において、防水・排水のための別部品が不必要であり、製品コストの削減が可能となる充電器を提供することを目的とする。【解決手段】充電電池を装着する電池槽１４を有する上ケース１と、前記上ケース１の電池槽１４に設けられた充電端子孔５より電池槽１４内へ充電電池との接触部を突出する充電端子３が実装された回路基板１０と、前記上ケース１との接合により充電器のハウジングを形成する下ケース２から成り、前記上ケース１は充電端子孔５の近傍をそれ以外の上ケース内部領域から隔離する上ケース導管６を有し、前記下ケース２は排水孔９の近傍をそれ以外の下ケース内部領域から隔離する下ケース導管７を有し、前記上ケース導管６は前記下ケース導管７の内側に嵌合するように配設されている。【選択図】図６
2013031245.tif 000002
【特許請求の範囲】
【請求項１】
充電電池を装着する電池槽を有する上ケースと、前記上ケースの電池槽に設けられた充電端子孔より電池槽内へ充電電池との接触部を突出する充電端子が実装された回路基板と、前記上ケースとの接合により充電器のハウジングを形成する下ケースから成り、前記上ケースは充電端子孔の近傍をそれ以外の上ケース内部領域から隔離する上ケース導管を有し、前記下ケースは排水孔の近傍をそれ以外の下ケース内部領域から隔離する下ケース導管を有し、前記上ケース導管は前記下ケース導管の内側に嵌合するように、前記上ケース導管の壁の端部を前記下ケース導管の壁が取り囲む形態となるように配設されていることを特徴とする充電器。
【請求項２】
前記上ケース導管と前記下ケース導管の少なくとも一方の端面には前記充電端子の位置固定をおこなう切欠き溝が設けられていることを特徴とする請求項１に記載の充電器。
【請求項３】
前記下ケースに設けられた下ケース導管の内側に、前記充電端子を支持する端子支持リブを有していることを特徴とする請求項１または２に記載の充電器。
【発明の詳細な説明】
【技術分野】
【０００１】
本発明はデジタルカメラ等の充電電池を充電するために用いられる防水構造を有する充電器に関するものである。
【背景技術】
【０００２】
従来の充電器の一例を図７〜図１２に示す。
【０００３】
図７は従来例における充電器の外観図である。
【０００４】
図７において充電器のハウジングは上ケース２１と下ケース２２によって構成されている。充電端子２３は充電電池（図示省略）の端子と接触して充電電流を充電電池に伝達するものであり、インジケーター２４は充電動作状態を使用者に示すものである。充電端子孔２５は充電端子２３を充電器内部から充電電池を装着する電池槽３４へ突出させるために上ケース２１に設けられている。
【０００５】
図８は従来例における充電器の上ケースの裏面から見た斜視図である。上ケース２１の内部構造において充電端子孔２５をそれ以外の部分から隔離するように充電端子孔２５を取り囲む形で上ケース導管２６は設けられている。
【０００６】
図９は従来例における充電器の下ケースの裏面から見た斜視図である。位置決めリブ２７は後述する端子ホルダー２９の下端を位置決めするものであり、排水孔２８は下ケース２２の底面の位置決めリブ２７で取り囲まれた位置に設けられている。
【０００７】
図１０は従来例における充電器の回路基板の斜視図である。端子ホルダー２９は単体の樹脂成形部品であり、回路基板３０に設けられた角孔に端子ホルダー２９に形成されている樹脂爪を嵌合することにより回路基板端部に固定される。端子ホルダー２９を装着後、充電端子２３を回路基板３０に実装することにより充電端子２３は端子ホルダー２９に係合固定される。ＡＣプラグ端子３１は回路基板３０へ後述するＡＣプラグ３２からのＡＣ入力を伝達するものである。
【０００８】
図１１は従来例における充電器の回路基板３０と下ケース２の組立てた状態の斜視図である。ＡＣプラグホルダー３３はＡＣプラグ３２をその回動位置（例えば下ケース２２の凹部に収納位置、ＡＣコンセントに差し込むときの下ケース２２の底面に対して垂直位置等）に保持するための部品である。
【０００９】
図１２は従来例における充電器の断面図である。水の進行方向３５は誤って充電器に水が掛かった場合の電池槽３４から充電端子孔２５に入った水の進路を示す矢印である。水はまず充電端子孔２５から上ケース２１の内部に進入し、上ケース導管２６に嵌合した端子ホルダー２９に入る。端子ホルダー２９は筒構造となっているためその端部は下ケース２２の位置決めリブ２７に嵌合され、端子ホルダー２９から抜け出た水は下ケース２２の排水孔２８から外部に排出される。
【００１０】
このように従来例においては、充電器の内部に進入した水を充電器の外部へ排出するためには上ケース２１の上ケース導管２６と下ケース２２の排水孔２８とをつなぐ端子ホルダー２９の様な別部品が必要であった。（例えば、特許文献１  参照）。
【先行技術文献】
【特許文献】
【００１１】
【特許文献１】特開平１０−２１９６６号公報
【発明の概要】
【発明が解決しようとする課題】
【００１２】
しかしながら前記従来の充電器においては、充電器の内部に進入した水を充電器の外へ排出するためには上ケース２１の上ケース導管２６と下ケース２２の排水孔２８とをつなぐ別部品の端子ホルダー２９が必要であり、充電器の組立工数および製品コストが高くなるという課題があった。本発明は防水・排水のための別部品が不必要となることにより充電器の組立工数および製品コストの削減が可能となる充電器を提供することを目的とする。
【課題を解決するための手段】
【００１３】
前記目的を達成するために本発明の充電器は、充電電池を装着する電池槽を有する上ケースと、前記上ケースの電池槽に設けられた充電端子孔より電池槽内へ充電電池との接触部を突出する充電端子が実装された回路基板と、前記上ケースとの接合により充電器のハウジングを形成する下ケースから成り、前記上ケースは充電端子孔の近傍をそれ以外の上ケース内部領域から隔離する上ケース導管を有し、前記下ケースは排水孔の近傍をそれ以外の下ケース内部領域から隔離する下ケース導管を有し、前記上ケース導管は前記下ケース導管の内側に嵌合するように配設されているものである。
【発明の効果】
【００１４】
本発明によると、上ケースに設けられた上ケース導管と、下ケースに設けられた下ケース導管の嵌合構造のみにより防水および排水機能が実現されているので、防水・排水のための別部品が不必要となる。これにより充電器の部品点数が削減でき、組立工数および製品コストの削減が可能となる充電器を提供することができる。
【図面の簡単な説明】
【００１５】
【図１】本発明の一実施の形態を示す充電器の外観図
【図２】本発明の一実施の形態を示す充電器の上ケースの裏面から見た斜視図
【図３】本発明の一実施の形態を示す充電器の下ケースの裏面から見た斜視図
【図４】本発明の一実施の形態を示す充電器の回路基板の斜視図
【図５】本発明の一実施の形態を示す充電器の回路基板と下ケースの組立てた状態の斜視図
【図６】本発明の一実施の形態を示す充電器の断面図
【図７】従来例における充電器の外観図
【図８】従来例における充電器の上ケースの裏面から見た斜視図
【図９】従来例における充電器の下ケースの裏面から見た斜視図
【図１０】従来例における充電器の回路基板の斜視図
【図１１】従来例における充電器の回路基板と下ケースの組立てた状態の斜視図
【図１２】従来例における充電器の断面図
【発明を実施するための形態】
【００１６】
以下本発明を実施するための最良の形態について図面を参照しながら説明する。
【００１７】
図１は本発明の一実施の形態を示す充電器の外観図である。
【００１８】
図１において充電器のハウジングは上ケース１と下ケース２によって構成されている。
【００１９】
充電端子３は充電電池（図示省略）の端子と接触して充電電流を充電電池に伝達するものであり、充電器の上ケース１の表面に設けられたインジケーター４はＬＥＤの点灯により充電動作の状態を使用者に示すものである。充電端子孔５は充電端子３を充電器内部から充電電池を装着する電池槽１４へ突出させるために上ケース１の電池槽１４の端部に設けられている。
【００２０】
図２は本発明の一実施の形態を示す充電器の上ケースの裏面から見た斜視図である。
【００２１】
上ケース１の内部構造において充電端子孔５をそれ以外の部分から隔離するように充電端子孔５を取り囲む形で上ケース導管６が上ケース１と一体に設けられている。上ケース導管６の端部には充電端子３を引き込むための切欠き溝１６が設けられている。
【００２２】
図３は本発明の一実施の形態を示す充電器の下ケースの裏面から見た斜視図である。下ケース導管７は上ケース導管６と係合する位置に下ケース２と一体に設けられ、下ケース導管７の内側となる下ケース２の底面には排水孔９が設けられている。
【００２３】
充電端子３の形状は、回路基板１０に挿入する側はＵ字状に成形されており、そのＵ字形状部分を回路基板１０に挿入後に半田付け固定される。
【００２４】
また、充電電池の端子と接触するもう一方の端部は鋭角状に曲げられた形状に成形され、充電電池の端子との接触圧を確保している。充電端子の前記した両端間の形状はＬ字状の圧縮コイルバネ形状となっている。下ケース導管７には充電端子３を引き込むための切欠き溝１７が設けられている。端子支持リブ８は下ケース導管７の内側に設けられ、充電端子３のコイル部を支持する位置に設けられている。
【００２５】
図４は本発明の一実施の形態を示す充電器の回路基板の斜視図である。ＡＣプラグ端子１１は回路基板１０へ後述するＡＣプラグ１２からのＡＣ入力を伝達するものであり、ＡＣプラグ１２の近傍の回路基板１０の端部位置に設けられている。
【００２６】
回路基板１０にはトランス、充電制御ＩＣ、電解コンデンサ、ダイオード、ＬＥＤ等の電気部品が実装されており、ＡＣ入力を充電電池を充電するための定電圧ＤＣ出力に変換する機能を持たせてある。
【００２７】
図５は本発明の一実施の形態に示す充電器の回路基板と下ケースの組立てた状態の斜視図である。ＡＣプラグホルダー１３はＡＣプラグ１２をその回動位置（例えば下ケース２の凹部に収納される収納位置、ＡＣコンセントに差し込むときの下ケース２の底面に対して垂直位置等）に保持するための部品である。
【００２８】
図６は本発明の一実施の形態を示す充電器の断面図である。上ケース導管６は下ケース導管７の内側に嵌合する形に配設されている。水の進行方向１５は誤って充電器に水が掛かった場合の電池槽１４から充電端子孔５に入った水の進路を示す矢印である。
【００２９】
図４に示す部品が実装された回路基板１０を図３に示す下ケース２に装着することにより図５に示す組立半完成状態にし、これに図２に示す上ケース１を組み合わせた後に上ケース１と下ケース２を超音波溶着する。これにより図１に示す充電器の完成品となる。
【００３０】
上記の図を用いて、本実施の形態における充電器の特徴を詳細に説明する。
【００３１】
ＡＣコンセントにＡＣプラグ１２を差し込むとＡＣ入力がＡＣプラグ端子１１を介して回路基板１０に入力される。回路基板１０は構成された充電回路により例えばＡＣ１００Ｖの入力を充電電池に充電可能となるＤＣ４．２Ｖに変換し、充電端子３からＤＣ出力を行なう。
【００３２】
充電端子３の下に位置する基板部分は充電端子３が半田付けされた後に除去され、図４に示すように充電端子３の下に位置する基板が切り欠かれた形状の実装済みの回路基板１０となる。
【００３３】
この回路基板１０を下ケース２に装着すると、下ケース２に設けられた下ケース導管７が回路基板１０の切り欠かれた部分に入り込む。下ケース導管７の端部には切欠き溝１７が３箇所設けられている。
【００３４】
切欠き溝１７の溝深さは回路基板１０を下ケース２に装着し、さらに上ケース１を装着し、超音波溶着により上ケース１と下ケース２を溶着結合することによって充電器が組立完成したときに充電端子３が溝の底に接する深さに設定されており、溝幅は充電端子３の直径に等しく設定されている。
【００３５】
この切欠き溝１７には充電端子３が嵌合しこれにより充電端子３の間隔位置が位置固定される。図６の断面図に示すように充電端子３のコイル部分は下ケース２の下ケース導管７内に設けられた端子支持リブ８で支持される。この端子支持リブ８は充電端子３の動作の安定に寄与している。
【００３６】
上ケース１を組み立て装着することにより図８に示すように充電端子３の充電電池端子との接触部分は充電端子孔５から突出した状態となる。上ケース１の上ケース導管６の端部にも下ケース導管７と同様の切欠き溝１６が形成されている。切欠き溝１６の溝深さは回路基板１０を下ケース２に装着し、さらに上ケース１を装着し超音波溶着により充電器が組立完成したときに充電端子３が溝の底に接する深さに設定されており、溝幅は充電端子３の直径に等しく設定されている。
【００３７】
この切欠き溝１６が充電端子３に嵌合し、さらに上ケース導管６が下ケース導管７の内側に嵌合する。すなわち前記上ケース導管６の壁の端部を前記下ケース導管７の壁が取り囲む形態となるように嵌合する。
【００３８】
従って、充電端子孔５から排水孔９に至る経路は上ケース導管６と下ケース導管７の嵌合によって導管の外側に位置する充電器内部空間と隔離されることになる。充電電池（図示省略）を上ケース１の電池槽１４に装着し、充電電池の端子と充電端子孔５から突出した充電端子３とを接触させることにより充電電池にＤＣ出力を印加でき、充電電池の充電が可能となる。
【００３９】
今誤って充電器に水が掛かった場合、電池槽１４内に水が溜まり、その水は充電端子孔５から充電器内部に入る。上ケース導管６と下ケース導管７により水は回路基板１０からは隔離されているので、図６の水の進行方向１５で示すように水が進行し排水孔９から排出される。ここで上ケース導管６が下ケース導管７の内側に嵌合する形態に配設してある理由としては、電池槽１４から流れ込んだ水が上ケース導管６から下ケース導管７に伝達される際に導管の連結部分で水が導管の外へ漏れ出さなくするためのものであり、もしも下ケース導管７の方が上ケース導管６の内側に嵌合する形態になっている場合には上ケース導管６を伝わって流れてきた水が上ケース導管６と下ケース導管７との間の隙間に進入して導管の外側へ漏れ出すことになり、防水性が損なわれることになる。
【産業上の利用可能性】
【００４０】
本発明にかかる充電器は、上ケースに設けられた上ケース導管と、下ケースに設けた下ケース導管の嵌合構造のみにより防水および排水機能が実現されているので、防水・排水のための別部品が不必要となる。
【００４１】
これにより組立工数および製品コストの削減が可能となる充電器を得ることができるため、デジタルカメラ等の充電電池を充電するために用いられる防水構造を有する充電器として有用である。
【符号の説明】
【００４２】
１    上ケース
２    下ケース
３    充電端子
４    インジケーター
５    充電端子孔
６    上ケース導管
７    下ケース導管
８    端子支持リブ
９    排水孔
１０  回路基板
１１  ＡＣプラグ端子
１２  ＡＣプラグ
１３  ＡＣプラグホルダー
１４  電池槽
１５  水の進行方向
１６  切欠き溝（上ケース導管側）
１７  切欠き溝（下ケース導管側）
２１  上ケース
２２  下ケース
２３  充電端子
２４  インジケーター
２５  充電端子孔
２６  上ケース導管
２７  位置決めリブ
２８  排水孔
２９  端子ホルダー
３０  回路基板
３１  ＡＣプラグ端子
３２  ＡＣプラグ
３３  ＡＣプラグホルダー
３４  電池槽
３５  水の進行方向
【図１】
2013031245.tif 000003
【図２】
2013031245.tif 000004
【図３】
2013031245.tif 000005
【図４】
2013031245.tif 000006
【図５】
2013031245.tif 000007
【図６】
2013031245.tif 000008
【図７】
2013031245.tif 000009
【図８】
2013031245.tif 000010
【図９】
2013031245.tif 000011
【図１０】
2013031245.tif 000012
【図１１】
2013031245.tif 000013
【図１２】
2013031245.tif 000014